【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
（Ａ）式（Ｒ12Ｒ2ＳｉＯ1/2）m（Ｒ1Ｒ2ＳｉＯ2/2）n（Ｒ1ＳｉＯ3/2）p  （Ｉ）を有する少なくとも１つのオルガノハイドロジェンポリシロキサン（式中、各Ｒ1は独立して、いずれも脂肪族不飽和を含まない、Ｃ1〜Ｃ10のヒドロカルビル又はＣ1〜Ｃ10のハロゲン置換ヒドロカルビルであり；各Ｒ2は独立して、Ｒ1又は−Ｈであり；ｍは０．００１〜０．３であり；ｎは０．５〜０．９９９であり；ｐは０〜０．５であり；ｍ＋ｎ＋ｐ＝１であり；ただし、前記オルガノハイドロジェンポリシロキサンは、１分子あたり平均少なくとも２つのケイ素結合水素原子を有する）と、
（Ｂ）（ｉ）１分子あたり平均少なくとも２つの脂肪族炭素−炭素二重結合を有する少なくとも１つの有機化合物、（ｉｉ）１分子あたり平均少なくとも２つのケイ素結合アルケニル基を有する少なくとも１つの有機シラン、（ｉｉｉ）１分子あたり平均少なくとも２つのケイ素結合アルケニル基を有する少なくとも１つのシリコーン樹脂、（ｉｖ）１分子あたり平均少なくとも２つのケイ素結合アルケニル基を有する少なくとも１つの有機シロキサン、並びに（ｖ）（ｉ）、（ｉｉ）、（ｉｉｉ）及び（ｉｖ）のうちの少なくとも２つを含む混合物から選択される架橋剤であって、前記オルガノハイドロジェンポリシロキサン（Ａ）中のケイ素結合水素原子のモル数に対する前記架橋剤（Ｂ）中の脂肪族炭素−炭素二重結合のモル数の比が０．００５〜０．７である架橋剤と、
（Ｃ）ヒドロシリル化触媒と
を含むシリコーン組成物。
【請求項２】
前記下付記号ｎが０．６〜０．９の値を有するか、又は前記下付記号ｐが０〜０．３の値を有する請求項１に記載のシリコーン組成物。
【請求項３】
式（Ｒ12Ｒ2ＳｉＯ1/2）m（Ｒ1Ｒ2ＳｉＯ2/2）n（Ｒ1ＳｉＯ3/2）p  （Ｉ）を有する少なくとも１つのオルガノハイドロジェンポリシロキサン（式中、各Ｒ1は独立して、いずれも脂肪族不飽和を含まない、Ｃ1〜Ｃ10のヒドロカルビル又はＣ1〜Ｃ10のハロゲン置換ヒドロカルビルであり；各Ｒ2は独立して、Ｒ1又は−Ｈであり；ｍは０．００１〜０．３であり；ｎは０．５〜０．９９９であり；ｐは０〜０．５であり；ｍ＋ｎ＋ｐ＝１であり；ただし、前記オルガノハイドロジェンポリシロキサンは、１分子あたり平均少なくとも２つのケイ素結合水素原子を有する）の硬化生成物を含むシリコーン接着剤であって、前記硬化生成物が、（Ａ）式（Ｉ）を有する少なくとも１つのオルガノハイドロジェンポリシロキサンと、（Ｂ）（ｉ）１分子あたり平均少なくとも２つの脂肪族炭素−炭素二重結合を有する少なくとも１つの有機化合物、（ｉｉ）１分子あたり平均少なくとも２つのケイ素結合アルケニル基を有する少なくとも１つの有機シラン、（ｉｉｉ）１分子あたり平均少なくとも２つのケイ素結合アルケニル基を有する少なくとも１つのシリコーン樹脂、（ｉｖ）１分子あたり平均少なくとも２つのケイ素結合アルケニル基を有する少なくとも１つの有機シロキサン、並びに（ｖ）（ｉ）、（ｉｉ）、（ｉｉｉ）及び（ｉｖ）のうちの少なくとも２つを含む混合物から選択される架橋剤であって、前記オルガノハイドロジェンポリシロキサン（Ａ）中のケイ素結合水素原子のモル数に対する前記架橋剤（Ｂ）中の脂肪族炭素−炭素二重結合のモル数の比が０．００５〜０．７である架橋剤と、（Ｃ）ヒドロシリル化触媒とを含むシリコーン組成物を加熱することによって形成されるシリコーン接着剤。
【請求項４】
前記下付記号ｎが０．６〜０．９の値を有するか、又は前記下付記号ｐが０〜０．３の値を有する請求項３に記載のシリコーン接着剤。
【請求項５】
基板と、
前記基板の表面の少なくとも一部上のシリコーン接着剤塗膜であって、前記接着剤塗膜は、式（Ｒ12Ｒ2ＳｉＯ1/2）m（Ｒ1Ｒ2ＳｉＯ2/2）n（Ｒ1ＳｉＯ3/2）p  （Ｉ）を有する少なくとも１つのオルガノハイドロジェンポリシロキサン（式中、各Ｒ1は独立して、いずれも脂肪族不飽和を含まない、Ｃ1〜Ｃ10のヒドロカルビル又はＣ1〜Ｃ10のハロゲン置換ヒドロカルビルであり；各Ｒ2は独立して、Ｒ1又は−Ｈであり；ｍは０．００１〜０．３であり；ｎは０．５〜０．９９９であり；ｐは０〜０．５であり；ｍ＋ｎ＋ｐ＝１であり；ただし、前記オルガノハイドロジェンポリシロキサンは、１分子あたり平均少なくとも２つのケイ素結合水素原子を有する）の硬化生成物を含むシリコーン接着剤塗膜と
を含む塗装基板であって、前記硬化生成物が、（Ａ）式（Ｉ）を有する少なくとも１つのオルガノハイドロジェンポリシロキサンと、（Ｂ）（ｉ）１分子あたり平均少なくとも２つの脂肪族炭素−炭素二重結合を有する少なくとも１つの有機化合物、（ｉｉ）１分子あたり平均少なくとも２つのケイ素結合アルケニル基を有する少なくとも１つの有機シラン、（ｉｉｉ）１分子あたり平均少なくとも２つのケイ素結合アルケニル基を有する少なくとも１つのシリコーン樹脂、（ｉｖ）１分子あたり平均少なくとも２つのケイ素結合アルケニル基を有する少なくとも１つの有機シロキサン、並びに（ｖ）（ｉ）、（ｉｉ）、（ｉｉｉ）及び（ｉｖ）のうちの少なくとも２つを含む混合物から選択される架橋剤であって、前記オルガノハイドロジェンポリシロキサン（Ａ）中のケイ素結合水素原子のモル数に対する前記架橋剤（Ｂ）中の脂肪族炭素−炭素二重結合のモル数の比が０．００５〜０．７である架橋剤と、（Ｃ）ヒドロシリル化触媒とを含むシリコーン組成物を加熱することによって形成される塗装基板。
【請求項６】
前記下付記号ｎが０．６〜０．９の値を有するか、又は前記下付記号ｐが０〜０．３の値を有する請求項５に記載の塗装基板。
【請求項７】
前記基板は、ガラス及び強化シリコーン樹脂フィルムから選択される請求項５又は６に記載の塗装基板。
【請求項８】
第１基板と、
前記第１基板を覆う少なくとも１つの追加基板と、
各基板の少なくとも１つの表面の少なくとも一部上のシリコーン接着剤塗膜であって、ただし、前記接着剤塗膜の少なくとも一部は、隣接する基板の反対面の間にあると共に当該反対面と直に接しており、前記接着剤塗膜は、式（Ｒ12Ｒ2ＳｉＯ1/2）m（Ｒ1Ｒ2ＳｉＯ2/2）n（Ｒ1ＳｉＯ3/2）p  （Ｉ）を有する少なくとも１つのオルガノハイドロジェンポリシロキサン（式中、各Ｒ1は独立して、いずれも脂肪族不飽和を含まない、Ｃ1〜Ｃ10のヒドロカルビル又はＣ1〜Ｃ10のハロゲン置換ヒドロカルビルであり；各Ｒ2は独立して、Ｒ1又は−Ｈであり；ｍは０．００１〜０．３であり；ｎは０．５〜０．９９９であり；ｐは０〜０．５であり；ｍ＋ｎ＋ｐ＝１であり；ただし、前記オルガノハイドロジェンポリシロキサンは、１分子あたり平均少なくとも２つのケイ素結合水素原子を有する）の硬化生成物を含むシリコーン接着剤塗膜と
を含む積層基板であって、前記硬化生成物が、（Ａ）式（Ｉ）を有する少なくとも１つのオルガノハイドロジェンポリシロキサンと、（Ｂ）（ｉ）１分子あたり平均少なくとも２つの脂肪族炭素−炭素二重結合を有する少なくとも１つの有機化合物、（ｉｉ）１分子あたり平均少なくとも２つのケイ素結合アルケニル基を有する少なくとも１つの有機シラン、（ｉｉｉ）１分子あたり平均少なくとも２つのケイ素結合アルケニル基を有する少なくとも１つのシリコーン樹脂、（ｉｖ）１分子あたり平均少なくとも２つのケイ素結合アルケニル基を有する少なくとも１つの有機シロキサン、並びに（ｖ）（ｉ）、（ｉｉ）、（ｉｉｉ）及び（ｉｖ）のうちの少なくとも２つを含む混合物から選択される架橋剤であって、前記オルガノハイドロジェンポリシロキサン（Ａ）中のケイ素結合水素原子のモル数に対する前記架橋剤（Ｂ）中の脂肪族炭素−炭素二重結合のモル数の比が０．００５〜０．７である架橋剤と、（Ｃ）ヒドロシリル化触媒とを含むシリコーン組成物を加熱することによって形成される積層基板。
【請求項９】
前記下付記号ｎが０．６〜０．９の値を有するか、又は前記下付記号ｐが０〜０．３の値を有する請求項８に記載の積層基板。
【請求項１０】
前記基板の少なくとも１つがガラスであるか、又は前記基板の少なくとも１つが強化シリコーン樹脂フィルムである請求項８に記載の積層基板。